(57)【特許請求の範囲】
【請求項１】
リール本体の両側板間に回転自在に支持されたスプールと、前記一方の側板に設けられたハンドルの回転操作により前記スプールを釣糸巻取り方向に回転させる手動巻取り駆動部とを備えた魚釣用リールにおいて、
前記スプールと前記手動巻取り駆動部との間に介在して設けられた遊星歯車伝達機構と、
この遊星歯車伝達機構の遊星歯車を支持する支持体を兼ね、前記手動巻取り駆動部の動力を前記遊星歯車伝達機構に伝達する駆動軸と、
前記一方の側板側でこの駆動軸上に設けられ、前記スプールの釣糸繰り出し方向の回転に、調節部材で調節された制動力を付与するドラグ機構と、を具備し、
このドラグ機構は、前記駆動軸上に回転可能に支持されかつ一端が開口した収容部を有する収容体と、前記駆動軸上に回り止めされて前記収容部内に配置され、前記調節部材で調節された押圧力で前記収容体に摩擦結合される制動板と、この収容部の一端開口に設けられて収容部内を水密に維持するシール部材とを有し、
前記手動巻取り駆動部の動力を、前記ドラグ機構の収容体から前記制動板を介して、前記駆動軸および遊星歯車伝達機構に伝達して、前記スプールを釣糸巻取り方向に回転させることを特徴とする魚釣用リール。
【発明の詳細な説明】
【０００１】
【発明の属する技術分野】
本発明は、魚釣用リールに係わり、特に、釣糸が巻回されるスプールの回転に制動力を付与するドラグ機構を備えた魚釣用リールの改良に関する。
【０００２】
【従来の技術】
一般に、魚釣用リールは、スプールの釣糸繰り出し方向の回転に制動力を付与するドラグ機構を備えている。このようなドラグ機構では、スプールや駆動歯車等の回転体がリール本体の支軸に回転可能に摩擦結合されており、この摩擦結合状態を変化させることによりドラグ力の調整が行なえるようになっている。
【０００３】
ドラグ機構は、一般に、巻取り駆動機構のハンドル軸上に螺合された調節部材（スタードラグ等）の回動操作により制動力を調節する方式と、リール本体の一側に回動可能に支持されたレバー形状の調節部材の回動操作により制動力を調節する方式とに大別できる。
【０００４】
前者の方式は、ハンドルを保持した巻取り操作状態で調節部材を容易に回動操作できるため、主に小型から中型のリールに使用されている。これに対し、後者の方式は、リール本体を保持しながら調節操作でき且つレバーの回動操作だけで容易に大きな力が掛けられるため、主に中型から大型のリールに広く使用されている。
【０００５】
中型から大型のリールに使用される後者のタイプのドラグ機構としては、例えば実公平４−２５９７７号公報に開示されているように、レバー形状の調節部材の回動操作によりスプールを軸方向に変位させて単板圧接力を調節する形態のものや、実開平２−１２０１６４号公報に開示されているように、動力伝達機構（遊星歯車支持体）の駆動軸上のリール本体収容部に複数の制動板を収容する形態のもの等が知られている
【０００６】
【発明が解決しようとする課題】
しかしながら、前述した２つの公報に開示されるタイプのドラグ機構にあっては、以下に述べるような幾つかの課題が残されている。
【０００７】
すなわち、実公平４−２５９７７号公報に開示されたドラグ機構は、スプールが軸方向に変位するため、釣糸をスプールに均等に巻回させるレベルワインド機構（平行巻き装置）を組み込むことが困難である。また、海水等に常時晒されるスプールの近傍にドラグ機構が設けられているため、ドラグ機構の防水を図ることが難しい。更に、巻取り速度を上げるためにギヤ比を高める場合には、駆動ギヤを大径化する必要があり、結果的に、リール全体の大型化を招く虞がある。
【０００８】
また、実開平２−１２０１６４号公報のドラグ機構は、電動リールへの適用例として開示されているが、ドラグ機構を構成する制動部材がリール本体に一体形成された筒部内あるいは連動歯車内に収容されているため、前記筒部の材料や位置が制約されるなど、設計の自由度が制約される。また、手動巻取りが不可能であり、仮に手動巻取り駆動機構を装備したとしても、簡易且つコンパクトに装備することが難しい（この構成のまま、手動巻取り駆動機構を装備すると、リール全体が大型化する虞がある）。
【０００９】
本発明は前記事情に着目してなされたものであり、その主な目的は、本体を大型化させることなく、また、設計の自由度を損なうことなく、手動巻取り駆動機構の増速化およびドラグ機構の防水を容易に図ることができる魚釣用リールを提供することにある。また、他の目的は、前記主目的を達成しながら電動巻取り及び手動巻取りの両方を行なうことができる魚釣用リールを提供することにある。
【００１０】
【課題を解決するための手段】
前記課題を解決するために、本発明は、リール本体の両側板間に回転自在に支持されたスプールと、前記一方の側板に設けられたハンドルの回転操作により前記スプールを釣糸巻取り方向に回転させる手動巻取り駆動部とを備えた魚釣用リールにおいて、前記スプールと前記手動巻取り駆動部との間に介在して設けられた遊星歯車伝達機構と、この遊星歯車伝達機構の遊星歯車を支持する支持体を兼ね、前記手動巻取り駆動部の動力を前記遊星歯車伝達機構に伝達する駆動軸と、前記一方の側板側でこの駆動軸上に設けられ、前記スプールの釣糸繰り出し方向の回転に、調節部材で調節された制動力を付与するドラグ機構と、を具備し、このドラグ機構は、前記駆動軸上に回転可能に支持されかつ一端が開口した収容部を有する収容体と、前記駆動軸上に回り止めされて前記収容部内に配置され、前記調節部材で調節された押圧力で前記収容体に摩擦結合される制動板と、この収容部の一端開口に設けられて収容部内を水密に維持するシール部材とを有し、前記手動巻取り駆動部の動力を、前記ドラグ機構の収容体から前記制動板を介して、前記駆動軸および遊星歯車伝達機構に伝達して、前記スプールを釣糸巻取り方向に回転させることを特徴とする。
【００１１】
【発明の実施の形態】
以下、図面を参照しながら本発明の一実施形態について説明する。
図１に示すように、本実施形態に係る魚釣用リール１は、電動リールであり、左右両側に側板４ａ，４ａ’が取り付けられたリール本体４を有している。リール本体４には、図中向かって右側に、後述する手動巻取り駆動部１５０を構成する手動ハンドルＨが取り付けられている。また、リール本体４の上側には操作パネル９３が設けられている。また、左側板４ａと右側板４ａ’との間には、釣糸が巻回されるスプール８が回転自在に支持されている。
【００１２】
スプール８の内部には、スプール８を回転駆動させるためのスプール駆動用モータ１０が収容されている。このモータ１０には、図示しないバッテリから電力が供給されるようになっている。具体的には、モータ１０の電気接点７２に接続された電気ライン７１がリール本体４の図示しないコネクタに電気的に接続されており、給電コード７０を介して前記コネクタを図示しないバッテリに接続することにより、モータ１０への給電が行なわれるようになっている。
【００１３】
スプール駆動用モータ１０は、スプール８と同軸に配置されている。スプール駆動用モータ１０の左駆動軸１０ａには、スプール駆動用モータ１０の逆回転を防止するための一方向クラッチ９０が連結されており、また、右駆動軸１０ｂには減速機構（遊星歯車伝達機構）４０が連結されている。
【００１４】
一方向クラッチ９０は、スプール駆動用モータ１０が右側板４ａ’側から見て時計回りに回転（正転駆動）した時に、フリー回転状態（駆動軸１０ａ，１０ｂを自由に回転させる状態）となってスプール８の巻き取り駆動を可能とし、手動ハンドルＨで巻き取り操作された時に、駆動軸１０ａ，１０ｂの回転が阻止されて手動ハンドルＨの動力がスプール８に伝達されるように設定構成されている。なお、以下において、時計回り、反時計回りとは、全て右側板４ａ’側から見たものとする。
【００１５】
スプール駆動用モータ１０の右駆動軸１０ｂと右側板４ａ’との間には、手動巻取り駆動部１５０の動力を減速機構４０に伝達する回転駆動軸４５が、スプール駆動用モータ１０の左右駆動軸１０ａ，１０ｂと同軸に設けられている。この回転駆動軸４５は、軸受１００，１０１によって回転可能に支持されている。なお、軸受１０１は、後述するように、回転駆動軸４５の軸方向に移動できる。
【００１６】
減速機構４０は、第１ないし第３の遊星ギヤ機構４０Ａ，４０Ｂ，４０Ｃから成り、スプール駆動用モータ１０の正転駆動時に右駆動軸１０ｂの回転運動を第１の遊星ギヤ機構４０Ａで減速させた後、更に、第２および第３の遊星ギヤ機構４０Ｂ，４０Ｃで減速させてスプール８に伝達するように構成されている。
【００１７】
図２に拡大して示すように、第１の遊星ギヤ機構４０Ａは、スプール駆動用モータ１０の右駆動軸１０ｂと一体回転する第１の太陽歯車５０と、この第１の太陽歯車５０に噛合した複数の第１の遊星歯車５１と、これら第１の遊星歯車５１が常時噛合するようにスプール８の内面に刻設された内歯歯車５２とを備えている。
【００１８】
また、第２の遊星ギヤ機構４０Ｂは、スプール駆動用モータ１０の右駆動軸１０ｂに回転可能に支持された第２の太陽歯車５５と、この第２の太陽歯車５５に噛合した複数の第２の遊星歯車５７とを備えており、複数の第２の遊星歯車５７は内歯歯車５２に常時噛合するようになっている。
【００１９】
更に、第３の遊星ギヤ機構４０Ｃは、スプール駆動用モータ１０の右駆動軸１０ｂに回転可能に支持された第３の太陽歯車５８と、この第３の太陽歯車５８に噛合した複数の第３の遊星歯車５９とを備えており、複数の第３の遊星歯車５９は内歯歯車５２に常時噛合するようになっている。
【００２０】
また、複数の第１の遊星歯車５１はそれぞれ第１のキャリア６０に支持されており、この第１のキャリア６０は第２の太陽歯車５５と一体回転するよう連結されている。また、複数の第２の遊星歯車５７はそれぞれ第２のキャリア６１に支持されており、この第２のキャリア６１は第３の太陽歯車５８と一体回転するよう連結されている。更に、複数の第３の遊星歯車５９はそれぞれ第３のキャリア６２に支持されており、この第３のキャリア（支持体）６２は、係止ピン１０３を介して回転駆動軸４５に連結され、回転駆動軸４５と一体で回転するようになっている。
【００２１】
また、本実施形態の魚釣用リール１は、釣糸の繰り出しで回転するスプール３に制動力を付与しながらスプール３の釣糸繰り出し方向への回転を許容する制動作用を与えるとともに、この制動作用を利用してスプール８をフリー回転状態と釣糸巻取り状態とに切換えるクラッチ作用を与えるドラグ機構１６０を備えている。
【００２２】
具体的には、ドラグ機構１６０は、回転駆動軸４５に回転可能に嵌合支持された収容体２０と、この収容体２０と噛み合ってこれと一体回転する複数の第１の制動板（ワッシャ）２１Ａ，２１Ｂと、回転駆動軸４５に回り止め支持（嵌合）されて回転駆動軸４５と一体に回転する第２の制動板（ワッシャ）２２と、リール本体４の右側板４ａ’に対して前後方向（図面の表裏方向）に回動可能に取り付けられたドラグ操作部材（ドラグ力調節部材）２７と、ドラグ操作部材２７の回転によって制動板２１Ａ，２１Ｂ，２２を押圧するように移動される押圧機構と、制動板２１Ａ，２１Ｂ，２２の摩擦面（制動面）間に介在して設けられたライニング材２３とを備えている。この場合、各制動板２１Ａ，２１Ｂ，２２およびライニング材２３は、一括して収容体２０の凹状の収容部２０ａ内に収容されるとともに、回転駆動軸４５の軸方向に移動自在となっている。
【００２３】
また、前記押圧機構は、ドラグ操作部材２７に回り止め嵌合された第１のカム部材２９と、第１のカム部材２９と係合し且つドラグ操作部材２７の回動操作に伴う第１のカム部材２９の回転によって回転駆動軸４５の軸方向に移動する第２のカム部材３０と、第２のカム部材３０に保持され且つ第２のカム部材３０とともに軸方向に移動する押圧部材３１と、回転駆動軸４５および前記軸受１０１に回転可能に嵌合支持されて制動板２１Ｂを押圧する押圧体２４と、押圧部材３１と押圧体２４との間に介挿され且つ押圧部材３１によって押圧移動される板ばね２５および軸受２８とから成る。
【００２４】
この場合、第１および第２のカム部材２９，３０は、リール本体４の右側板４ａ’に固定された支持部材３２内に収容され、この支持部材３２によって軸方向に移動可能に支持されている。また、第２のカム部材３０は、支持部材３２の内面に軸方向に沿って形成された回り止め溝３３と係合することにより、その回転が規制されている。また、軸受２８は、回転駆動軸４５の端部を回転可能に支持するとともに、回転駆動軸４５に対して軸方向に移動できる。また、板バネ２５は、回転駆動軸４５の外周に嵌合され、回転駆動軸４５の軸方向に移動できる。
【００２５】
なお、押圧部材３１と回転駆動軸４５の端部との間には、押圧部材３１の軸方向の移動を許容する所定の空間Ｓが形成されるようになっている。また、収容体２０と第２の制動板２２との間および第２の制動板２２と軸受１０１（押圧体２４）との間には、圧縮コイルバネ２６が介挿されている。これらの圧縮コイルバネ２６は、回転駆動軸４５の外周に巻装されており、制動板２２と収容体２０と軸受１０１（押圧体２４）とを互いに軸方向に離間させる方向（押圧力を解除する方向）で付勢している。また、収容体２０の収容部２０ａの一端開口には、収容体２０内を水密に維持するためのシール部材８０が設けられている。また、同様の目的、すなわち、ドラグ機構１６０を防水する目的で、収容体２０および押圧体２４が嵌合する回転駆動軸４５の外周面部位にはそれぞれ、Ｏリング８２，８４が配設されている。
【００２６】
また、リール本体４の右側板４ａ’には、右側板４ａ’からのドラグ操作部材２７の抜けを防止する抜け止めプレート３４が、止め輪３５を介して、右側板４ａ’に対して螺着されている。また、押圧部材３１には微調整用ノブ３６が係合しており、この微調整用ノブ３６を回転させることによって押圧部材３１を軸方向に移動できるようになっている。なお、微調整用ノブ３６の軸方向への移動量は抜け止めプレート３４によって制限されている。
【００２７】
また、押圧体２４の外周面には、係止ピン３７を介して、ピニオンギヤ３８が嵌合されている。すなわち、ピニオンギヤ３８は、押圧体２４と一体的に回転できるようになっている。また、ピニオンギヤ３８には、手動巻取り駆動部１５０のドライブギヤ６６が噛合している。
【００２８】
手動巻取り駆動部１５０は、ハンドルＨと、ハンドルＨと一体で回転するハンドル軸６５と、ハンドル軸６５に回り止め嵌合されたドライブギヤ６６とを備えて成る。
【００２９】
また、ハンドル軸６５の基端部には、スプール駆動用モータ１０によってスプール８を釣糸巻取方向に回転させた際に、これに連動してハンドル軸６５が回転しないように、逆転防止機構が設けられている。この逆転防止機構は、外周面にラチェット爪６７ａが所定ピッチで形成されたラチェットギヤ６７と、ラチェット爪６７ａに対して一定の付勢力で常時係合している図示しないストッパとを備えており、ラチェットギヤ６７は、ハンドル軸６５に回り止め嵌合されている。このような逆転防止機構によれば、スプール駆動用モータ１０によってスプール８を釣糸巻取方向に回転させた場合、その回転方向では、ラチェット爪６７ａに前記ストッパが係止方向で噛み合うため、ラチェットギヤ６７の回転が阻止され、スプール駆動用モータ１０の回転に連動してハンドル軸６５が回転することが防止される。したがって、スプール駆動用モータ１０の動力は減速機構４０を介してスプール８のみに伝達される。これに対し、手動ハンドルＨの回転操作によってスプール８を釣糸巻取方向に回転させた場合、その回転方向では、ラチェット爪６７ａに係合する前記ストッパはラチェットギヤ６７の回転を許容するため、手動ハンドルＨの回転操作に連動してハンドル軸６５を回転させることができる。
【００３０】
なお、図１に示されるように、スプール８の前方には、スプール８の回転に連動して動作するレベルワインド機構９５が設けられている。このレベルワインド機構９５は、外周面にトラバース溝が形成され且つ端部にギア１２１が取り付けられたウォームシャフトと、このウォームシャフトを収容する筒体１２０と、前記トラバース溝と係合して前記ウォームシャフトの回転により筒体１２０に沿って左右に摺動する係合子１２８とを有しており、係合子１２８に形成された孔１２８ａを介してスプール８に巻回された釣糸を案内する。したがって、ハンドルＨを回転操作すれば、スプール８の回転および係合子１２８の左右の摺動により、スプール８には釣糸が均等に巻回される。
【００３１】
次に、上記構成の魚釣用リール１の実釣時における動作を説明する。
【００３２】
まず、ドラグ操作部材２７を一方向に回転操作すると、ドラグ操作部材２７に回り止め嵌合する第１のカム部材２９が回転し、それに伴って、第２のカム部材３０が回転駆動軸４５の軸方向に移動する。その結果、軸受２８、板ばね２５、押圧体２４が圧縮コイルバネ２６の付勢力に抗して軸方向に移動され、押圧体２４によって制動板２１Ａ，２１Ｂ，２２が押圧される。これにより、制動板２１Ａ，２１Ｂ，２２が回転駆動軸４５の軸方向に沿ってスライドされ、制動板２１Ａ，２１Ｂ，２２の摩擦面同士がライニング材２３を介して圧接されるとともに、制動板２１Ａが収容体２０に所定の押圧力で押さえ付けられる。そして、この時の押圧力が制動板２２を介して回転駆動軸４５に作用することにより、押圧体２４を含む押圧機構の構成要素が回転駆動軸４５に対して摩擦結合され、スプール８に所定のドラグ力が発生する。
【００３３】
このように所定のドラグ力が形成された状態で、手動ハンドルＨを時計回りに回転操作すると、ドライブギヤ６６およびドライブギヤ６６と噛み合うピニオンギヤ３８が回転され、ピニオンギヤ３８と一体の押圧体２４が回転する。そして、この押圧体２４の回転力は、押圧機構による前記摩擦結合力に応じて、回転駆動軸４５に伝達され、回転駆動軸４５に連結された第３のキャリア６２を反時計回りに回転させる。この時、遊星歯車５９は、反時計回りに自転すると共に公転し、内歯歯車５２を反時計回りに増速した状態で回転駆動する。これにより、スプール８は、釣糸巻取り方向に回転駆動される。なお、内歯歯車５２の反時計回りの回転駆動により、第１の太陽歯車５０は時計回りに回転しようとするが、その回転駆動は、モータ１０に対して反対側に位置する一方向クラッチ９０によって規制される。
【００３４】
また、手動ハンドルＨによらず、スプール駆動用モータ１０を正転駆動（時計回り）させると、第１の太陽歯車５０は時計回りに回転駆動される。この回転駆動により、遊星歯車５１は、反時計回りに回転すると共に時計回りに公転し、第３の太陽歯車５８が時計回りに回転する。この回転方向では、前述した逆転防止機構によってハンドル軸６５の回転が規制されているため、ハンドル軸６５にドライブギヤ６６を介して連結したピニオンギヤ３８（押圧体２４）の回転（時計回りの回転）が規制される。その結果、ピニオンギヤ３８と摩擦結合した回転駆動軸４５および第３のキャリア６２は、回転することなく一定位置に静止した状態に維持される。したがって、第３の太陽歯車５８が時計回りに回転した際、第３のキャリア６２に回転可能に支持された複数の遊星歯車５９は、第３の太陽歯車５８の回りを公転することなく一定位置で反時計回りに自転する。
【００３５】
この状態において、複数の遊星歯車５９の反時計回りの回転運動は、スプール８の内面に刻設された内歯歯車５２に減速されて伝達され、この内歯歯車５２を反時計回りに回転させる。そして、これに伴ってスプール８は、釣糸巻取方向（反時計回り）に回転する。この結果、釣糸は、レベルワインド機構９５を介してスプール８に均一に巻き取られる。なお、このような電動巻取時には、前記逆転防止機構が機能しているため、手動ハンドルＨが連動して高速で回転することはない。
【００３６】
一方、ドラグ操作部材２７を他方向に回転操作していくと、圧縮コイルバネ２６の付勢力によって押圧体２４が押し戻され、制動板２１Ａ，２１Ｂ，２２同士が互いに離間する。したがって、押圧体２４を含む押圧機構の構成要素と回転駆動軸４５との摩擦結合力すなわちドラグ力が弱まる。そして、ドラグ操作部材２７を他方向に十分回転操作すると、最終的に、スプール８はフリー回転可能状態に維持される。この状態では、釣糸を仕掛けの自由落下によってスプール８から繰り出すことができる。
【００３７】
以上説明したように、本実施形態の魚釣用リール１は、スプール８と手動巻取り駆動部１５０との間に遊星歯車機構から成る減速機構４０が介在して設けられるとともに、手動巻取り駆動部１５０の動力を減速機構４０に伝達する回転駆動軸４５上にドラグ機構１６０が設けられ、手動巻取り駆動部１５０の動力をドラグ機構１６０から回転駆動軸４５を介して減速機構４０に伝達することにより、スプール８を釣糸巻取り方向に回転させるようになっている。
【００３８】
このように、手動巻取り駆動部１５０の動力を遊星歯車機構を介してスプール８に伝達させるようにすれば、リール全体を大型化することなく、手動巻取り駆動機構の増速化を容易に行なうことができる。また、海水等に常時晒されるスプール８の近傍にドラグ機構１６０が設けられていないため、ドラグ機構１６０の防水を容易に図ることができる。実際に、本実施形態では、収容体２０の収容部２０ａの一端開口にシール部材８０が設けられ、また、収容体２０および押圧体２４が嵌合する回転駆動軸４５の外周面部位にそれぞれＯリング８２，８４が配設されているため、ドラグ機構１６０の防水性を格段に向上させることができる。
【００３９】
特に、本実施形態では、回転駆動軸４５が、減速機構４０の遊星歯車５９を支持する第３のキャリア６２を兼ねている。すなわち、回転駆動軸４５は、第３のキャリア６２に連結され、このキャリア６２と一体で回転する。しかも、モータ１０がスプール８の内部に設けられ、モータ１０の回転軸１０ａ，１０ｂと回転駆動軸４５とが同軸に配置されている。したがって、モータ１０を含むこれらの電動巻取り機構をリール本体４内にコンパクトに装備できるだけでなく、このような電動巻取り機構を備えた電動リール１に対して手動巻取り駆動機構１５０を簡易且つコンパクトに装備することができ、電動および手動の両方の巻取り機能を併存させつつ、また、設計の自由度を損なうことなく、リール全体をコンパクトにする（リール全体の大型化を防止する）ことができる。
【００４０】
また、本実施形態では、ドラグ機構１６０の制動力を調節するドラグ操作部材２７が、リール本体４の右側板４ａ’に対して前後方向に回動可能に取り付けられている。したがって、良好な手動巻き取り操作とドラグ調節操作の一連の複合的な魚釣り操作を円滑に行なうことができる。
【００４１】
また、本実施形態の魚釣用リール１は、スプール８を軸方向に変位させてドラグ力を作用させる形態ではないため、釣糸をスプールに均等に巻回させるレベルワインド機構９５を容易に組み込むことができる。
【００４２】
また、本実施形態では、制動板２１Ａ，２１Ｂ，２２およびライニング材２３を、リール本体４とは別体の収容体２０内に収容しているため、設計の自由度を制約することなく、ドラグ機構１６０を装備することができる。
【００４３】
なお、本発明は、前記実施形態に限定されることなく、その要旨を逸脱しない範囲で種々変形実施できることは言うまでもない。例えば、前述した実施形態では、本発明が電動リールに適用されているが、本発明を非電動リール（手動リール）に適用することも可能である。また、前述した実施形態では、スプール駆動用モータ１０がスプール８内に収容されている例が示されているが、スプール駆動用モータ１０がスプール８の外側に設けられていても良い。
【００４４】
【発明の効果】
以上説明したように、本発明の魚釣用リールによれば、スプールと手動巻取り駆動部との間に介在する遊星歯車伝達機構の支持体を、手動巻取り駆動部の動力を遊星歯車伝達機構に伝達する駆動軸が兼ねることにより、本体を大型化させることなく、また、設計の自由度を損なうことなく、手動巻取り駆動機構の増速化を図ることができ、更に、この駆動軸上に配置されたドラグ機構の収容体が制動版を収容する収容部の開口をシール部材で水密に維持することにより、ドラグ機構の防水を容易に図ることができる。
【図面の簡単な説明】
【図１】本発明の一実施形態に係る魚釣用リール（電動リール）の断面図である。
【図２】図１の魚釣用リールの要部拡大断面図である。
【符号の説明】
１…魚釣用リール
４…リール本体
４ａ，４ｂ…側板
８…スプール
１０…スプール駆動用モータ
４０…減速機構（遊星歯車伝達機構）
４５…回転駆動軸（駆動軸）
１５０…手動巻取り駆動部
１６０…ドラグ機構
【図１】
0003978007.tif 000002
【図２】
0003978007.tif 000003